(57)【要約】【課題】異なる端子が異常短絡することにより生ずる過電圧から内部回路を保護できるようにする。【解決手段】電子機器（１００）は、外部機器から供給される電力を受け取るための第１の端子と、前記外部機器の電力供給能力を判定するために用いられる第２の端子と、前記第２の端子と接続されている内部回路と、前記内部回路と前記第２の端子との間を交流結合するためのコンデンサと、前記コンデンサをバイパスするための経路と、前記経路を導通状態又は非導通状態に切り替えるスイッチと、前記外部機器が前記第１の端子に印加すべき電圧が、前記第２の端子を介して前記内部回路に印加することができる電圧を超えるか否かに応じて、前記スイッチの状態を制御する制御手段とを有することを特徴とする。【選択図】  図１
2018110470.tif 000002
【特許請求の範囲】
【請求項１】
外部機器から供給される電力を受け取るための第１の端子と、
前記外部機器の電力供給能力を判定するために用いられる第２の端子と、
前記第２の端子と接続されている内部回路と、
前記内部回路と前記第２の端子との間を交流結合するためのコンデンサと、
前記コンデンサをバイパスするための経路と、
前記経路を導通状態又は非導通状態に切り替えるスイッチと、
前記外部機器が前記第１の端子に印加すべき電圧が、前記第２の端子を介して前記内部回路に印加することができる電圧を超えるか否かに応じて、前記スイッチの状態を制御する制御手段と
を有することを特徴とする電子機器。
【請求項２】
前記制御手段は、前記外部機器が前記第１の端子に印加すべき電圧が、前記第２の端子を介して前記内部回路に印加することができる電圧を超える場合は、前記経路が導通状態を維持するように前記スイッチを制御することを特徴とする請求項１に記載の電子機器。
【請求項３】
前記制御手段は、前記外部機器が前記第１の端子に印加すべき電圧が、前記第２の端子を介して前記内部回路に印加することができる電圧を超えない場合は、前記経路が非導通状態になるように前記スイッチを制御することを特徴とする請求項１または２に記載の電子機器。
【請求項４】
前記内部回路は、前記外部機器と通信するための通信制御手段を含むことを特徴とする請求項１から３のいずれか１項に記載の電子機器。
【請求項５】
前記内部回路は、前記第２の端子に印加されている電圧を検出する電圧検出手段を含むことを特徴とする請求項１から４のいずれか１項に記載の電子機器。
【請求項６】
前記外部機器の電力供給能力は、前記電圧検出手段で検出された直流電圧によって判定されることを特徴とする請求項５に記載の電子機器。
【請求項７】
前記第２の端子から前記コンデンサを介して得られる交流信号に与えられるバイアス電圧を、前記電圧検出手段で検出された電圧に基づいて生成する生成手段をさらに有することを特徴とする請求項５または６に記載の電子機器。
【請求項８】
前記外部機器から前記第１の端子を介して供給される電力でバッテリを充電する充電制御手段をさらに有することを特徴とする請求項１から６のいずれか１項に記載の電子機器。
【発明の詳細な説明】
【技術分野】
【０００１】
本発明は、ＣＣ端子と他の端子とが異常短絡することにより生ずる過電圧から内部回路を保護することができる電子機器等に関する。
【背景技術】
【０００２】
電力供給装置から電子機器にＵＳＢ（Ｕｎｉｖｅｒｓａｌ  Ｓｅｒｉａｌ  Ｂｕｓ）を介して電力を供給することを実現する規格として、ＵＳＢ２．０規格、ＵＳＢ３．１規格、ＵＳＢ  ＢＣ（Ｂａｔｔｅｒｙ  Ｃｈａｒｇｉｎｇ）、ＵＳＢ  Ｔｙｐｅ−Ｃ規格、ＵＳＢ  ＰＤ（Ｐｏｗｅｒ  Ｄｅｌｉｖｅｒｙ）規格が知られている。
【０００３】
電子機器がＵＳＢ  Ｔｙｐｅ−Ｃ規格及びＵＳＢ  ＰＤ規格に準拠している場合、電力供給装置がＵＳＢ  Ｔｙｐｅ−Ｃケーブルを介して電子機器のＶＢＵＳ端子に印加する電圧の最大値は、電力供給装置がＵＳＢ  ＰＤ規格に準拠しているか否かによって異なる。電力供給装置がＵＳＢ  ＰＤ規格に準拠していない場合、電力供給装置がＵＳＢ  Ｔｙｐｅ−Ｃケーブルを介して電子機器のＶＢＵＳ端子に印加する電圧の最大値は５Ｖに制限される。一方、電力供給装置がＵＳＢ  ＰＤ規格に準拠している場合、電力供給装置がＵＳＢ  Ｔｙｐｅ−Ｃケーブルを介して電子機器のＶＢＵＳ端子に印加する電圧の最大値は２０Ｖに制限される。
【０００４】
ＵＳＢ  Ｔｙｐｅ−Ｃ規格に準拠した機器が有するＵＳＢ  Ｔｙｐｅ−Ｃコネクタ（レセプタクル）のピン配置を図７に示す。Ａ４又はＢ４ピンは、電力供給装置から電子機器に電力を供給するためのＶＢＵＳ端子である。Ａ５又はＢ５ピンは、電力供給装置の電力供給能力を通知するためのＣＣ（Ｃｏｎｆｉｇｕｒａｔｉｏｎ  Ｃｈａｎｎｅｌ）端子である。図７に示すレセプタクルにＵＳＢ  Ｔｙｐｅ−Ｃケーブルのプラグが接続される。
【０００５】
図７のピン配列から明らかなように、ＶＢＵＳ端子（Ａ４ピン又はＢ４ピン）とＣＣ端子（Ａ５ピン又はＢ５ピン）とは隣り合っている。そのため、外部からの物理的な圧力によってプラグとレセプタクルとがずれてしまい、ＶＢＵＳ端子とＣＣ端子とが異常短絡してしまうと、ＶＢＵＳ端子に印加されている電圧がＣＣ端子にも印加される恐れがある。
【０００６】
電子機器が有する回路であってＣＣ端子と接続されている回路を「内部回路」と呼ぶ。電力供給装置がＣＣ端子を介して内部回路に印加することができる電圧の最大値を「許容電圧」と呼ぶ。内部回路の許容電圧は、５Ｖ程度が一般的である。そのため、電力供給装置がＵＳＢ  ＰＤ規格に準拠している場合にＣＣ端子と他の端子（例：ＶＢＵＳ端子）とが異常短絡してしまうと、内部回路の許容電圧を超える電圧（過電圧）がＣＣ端子を介して内部回路に印加され、内部回路が故障してしまう恐れがある。ＣＣ端子と接続されている内部回路を保護する方法として、内部回路の許容電圧を２０Ｖ超に上げる方法が考えられる。しかしながら、この方法では、内部回路が高コストになってしまう問題がある。
【０００７】
特許文献１及び２はいずれも、ＵＳＢケーブルが接続されるコネクタを有する装置が記載されている。特許文献１には、第１の配線と第２の配線との電位差が許容範囲内であるか否かにより、第２の配線の導通状態を制御する装置が記載されている。特許文献２には、コネクタ内部で異常短絡が生じたことをユーザに報知する装置が記載されている。
【先行技術文献】
【特許文献】
【０００８】
【特許文献１】特開２０１２−８１６６５号公報
【特許文献２】特開２０１５−８５８２号公報
【発明の概要】
【発明が解決しようとする課題】
【０００９】
しかしながら、特許文献１及び２のいずれにおいても、ＣＣ端子は記載されていない。そのため、特許文献１及び２のいずれにおいても、ＣＣ端子と他の端子（例：ＶＢＵＳ端子）とが異常短絡することにより生ずる過電圧により、ＣＣ端子に接続されている内部回路が故障してしまうという問題は解決されていない。
【００１０】
そこで、本発明は、ＣＣ端子と他の端子（例：ＶＢＵＳ端子）とが異常短絡することにより生ずる過電圧から、ＣＣ端子に接続されている内部回路を保護できるようにすることを目的とする。
【課題を解決するための手段】
【００１１】
上記の目的を達成するために、本発明に係る電子機器は、外部機器から供給される電力を受け取るための第１の端子と、前記外部機器の電力供給能力を判定するために用いられる第２の端子と、前記第２の端子と接続されている内部回路と、前記内部回路と前記第２の端子との間を交流結合するためのコンデンサと、前記コンデンサをバイパスするための経路と、前記経路を導通状態又は非導通状態に切り替えるスイッチと、前記外部機器が前記第１の端子に印加すべき電圧が、前記第２の端子を介して前記内部回路に印加することができる電圧を超えるか否かに応じて、前記スイッチの状態を制御する制御手段とを有することを特徴とする。
【発明の効果】
【００１２】
本発明によれば、ＣＣ端子と他の端子（例：ＶＢＵＳ端子）とが異常短絡することにより生ずる過電圧から、ＣＣ端子に接続されている内部回路を保護することができる。
【図面の簡単な説明】
【００１３】
【図１】実施形態１における電子機器１００の構成の一例を説明するためのブロック図である。
【図２】実施形態１における電子機器１００の動作の一例を説明するためのフローチャートである。
【図３Ａ】期間Ｔ１で異常短絡が生じた場合における電子機器１００の動作の一例を説明するためのタイミングチャートである。
【図３Ｂ】期間Ｔ２で異常短絡が生じた場合における電子機器１００の動作の一例を説明するためのタイミングチャートである。
【図３Ｃ】期間Ｔ３で異常短絡が生じた場合における電子機器１００の動作の一例を説明するためのタイミングチャートである。
【図４】実施形態２における電子機器１００の構成の一例を説明するためのブロック図である。
【図５】実施形態２における電子機器１００の動作の一例を説明するためのフローチャートである。
【図６Ａ】バイアス電圧制御部４０２が有する構成要素の第１の例を説明するための図である。
【図６Ｂ】バイアス電圧制御部４０２が有する構成要素の第２の例を説明するための図である。
【図７】ＵＳＢ  Ｔｙｐｅ−Ｃコネクタ（レセプタクル）のピン配置を示す図である。
【発明を実施するための形態】
【００１４】
以下、図面を参照して本発明の実施形態を説明する。ただし、本発明は以下の実施形態に限定されるものではない。
【００１５】
＜実施形態１＞
図１、図２、図３Ａ、図３Ｂ、図３Ｃ及び図７を参照して、実施形態１を説明する。
【００１６】
図１は、実施形態１における電子機器１００の構成の一例を説明するためのブロック図である。図２は、電子機器１００の動作の一例を説明するためのフローチャートである。図３Ａ、図３Ｂ及び図３Ｃは、電子機器１００の動作の一例を説明するためのタイミングチャートである。
【００１７】
図１において、電力供給装置１２０は、電子機器１００の電力供給源として動作する外部機器である。実施形態１では、電力供給装置１２０がＵＳＢ−ＡＣアダプタとして動作する例を説明するが、電力供給装置１２０はＵＳＢ−ＡＣアダプタに限定されるものではなく、ＵＳＢホスト装置（パーソナルコンピュータなど）又はＵＳＢバッテリであってもよい。ＵＳＢ−ＡＣアダプタとは、外部のＡＣ電源から受け取った電力を、ＵＳＢケーブル又はＵＳＢ  Ｔｙｐｅ−Ｃケーブルを介して外部の電子機器に供給することができる装置である。ＵＳＢバッテリとは、１つ又は複数のバッテリセルから得られた電力を、ＵＳＢケーブル又はＵＳＢ  Ｔｙｐｅ−Ｃケーブルを介して外部の電子機器に供給することができるバッテリである。
【００１８】
実施形態１において、電力供給装置１２０と電子機器１００とはいずれも、ＵＳＢ  Ｔｙｐｅ−Ｃ規格に準拠した装置であり、ＵＳＢ  Ｔｙｐｅ−Ｃコネクタ（レセプタクル）を有する。電力供給装置１２０と電子機器１００は、ＵＳＢ  Ｔｙｐｅ−Ｃケーブルを介して接続される。そして、電力供給装置１２０はＵＳＢ  Ｔｙｐｅ−Ｃケーブルを介して電子機器１００に電力を供給することができ、電子機器１００はＵＳＢ  Ｔｙｐｅ−Ｃケーブルを介して電力供給装置１２０から電力を受け取ることができる。電子機器１００は、ＵＳＢ  ＰＤ規格に準拠した装置でもある。
【００１９】
電子機器１００は、例えば、撮像装置（デジタルカメラ又はデジタルビデオカメラ）、携帯機器又は携帯電話として動作することができる携帯機器である。電子機器１００は、図１に示すように、コネクタ１０１、プルダウン抵抗１０２、電圧検出部１０３、通信制御部１０４、スイッチ１０５、充電制御部１０６、コンデンサ１０７、制限抵抗１０８、内部回路１０９及びバッテリ１１０を有する。コネクタ１０１、プルダウン抵抗１０２、電圧検出部１０３、通信制御部１０４、スイッチ１０５、充電制御部１０６、コンデンサ１０７、制限抵抗１０８はいずれもハードウェア構成を有する。通信制御部１０４は、１つ又は複数のプログラムを記憶したメモリと、この１つ又は複数のプログラムを実行する１つ又は複数のマイクロプロセッサとを有する。充電制御部１０６も、１つ又は複数のプログラムを記憶したメモリと、この１つ又は複数のプログラムを実行する１つ又は複数のマイクロプロセッサとを有する。バッテリ１１０は、電子機器１００の電源であり、電子機器１００から取り外し可能である。
【００２０】
内部回路１０９は、電子機器１００が有する回路であってＣＣ端子と接続されている回路である。内部回路１０９は、少なくとも、電圧検出部１０３及び通信制御部１０４を含む。電力供給装置１２０がＣＣ端子１０１Ｂを介して内部回路１０９に印加することができる電圧の最大値を「許容電圧Ｖｍａｘ」と呼ぶ。許容電圧Ｖｍａｘは、例えば、７Ｖ〜１０Ｖ程度である。許容電圧Ｖｍａｘを超える電圧（過電圧）がＣＣ端子１０１Ｂを介して内部回路１０９に印加された場合、電圧検出部１０３及び通信制御部１０４のいずれか又は両方が過電圧で故障してしまう恐れがある。
【００２１】
コネクタ１０１は、電子機器１００が有するＵＳＢ  Ｔｙｐｅ−Ｃコネクタ（レセプタクル）であり、ＵＳＢ  Ｔｙｐｅ−Ｃケーブルのプラグが接続されるインターフェース部である。コネクタ１０１のピン配置は、図７に示すとおりである。コネクタ１０１は、図７に示す２４ピン（Ａ１〜Ａ１２ピン及びＢ１〜Ｂ１２ピン）を有する。Ａ４又はＢ４ピンは、電力供給装置１２０から電子機器１００に電力を供給するためのＶＢＵＳ端子１０１Ａである。Ａ５又はＢ５ピンは、電力供給装置１２０の電力供給能力を判定するためのＣＣ端子１０１Ｂである。Ａ１又はＢ１ピンは、グランド（ＧＮＤ）端子１０１Ｃである。電力供給装置１２０と電子機器１００とがＵＳＢ  Ｔｙｐｅ−Ｃケーブルを介して接続された場合、電力供給装置１２０から供給された電力は、ＶＢＵＳ端子１０１Ａを介して、電圧検出部１０３、通信制御部１０４、充電制御部１０６及びその他の構成要素に供給される。
【００２２】
プルダウン抵抗１０２は、ＵＳＢ  Ｔｙｐｅ−Ｃ規格で規定された抵抗であり、ＣＣ端子１０１Ｂとグラウンドとの間に接続される。プルダウン抵抗１０２は、電力供給装置１２０が電子機器１００に接続されたことを検出するために用いられる。
【００２３】
ＣＣ端子１０１Ｂと内部回路１０９との間には、コンデンサ１０７と、コンデンサ１０７をバイパスするためのバイパス経路ＢＰと、このバイパス経路ＢＰを導通状態又は非導通状態に切り替えるためのスイッチ１０５と、制限抵抗１０８とが設けられている。コンデンサ１０７とスイッチ１０５とは並列に接続されている。スイッチ１０５の状態は、充電制御部１０６によって制御される。
【００２４】
コンデンサ１０７は、ＣＣ端子１０１Ｂと内部回路１０９との間に交流結合を形成するためのコンデンサであり、ＣＣ端子１０１Ｂから内部回路１０９に供給される直流信号成分を遮断することができる。
【００２５】
充電制御部１０６がスイッチ１０５をＯＮ状態にすると、スイッチ１０５はバイパス経路ＢＰを導通状態にする。バイパス経路ＢＰが導通状態にされると、ＣＣ端子１０１Ｂと内部回路１０９との間に直流結合が形成され、コンデンサ１０７がバイパス経路ＢＰによってバイパスされる状態が開始される。
【００２６】
充電制御部１０６がスイッチ１０５をＯＦＦ状態にすると、スイッチ１０５はバイパス経路ＢＰを非導通状態にする。バイパス経路ＢＰが非導通状態にされると、ＣＣ端子１０１Ｂと内部回路１０９との間の直流結合は切断され、コンデンサ１０７がバイパス経路ＢＰによってバイパスされる状態が終了する。
【００２７】
例えば、電子機器１００の電源スイッチがＯＮ状態にされ、バッテリ１１０から供給された電力が電圧検出部１０３、通信制御部１０４、充電制御部１０６及びその他の構成要素に供給された場合、充電制御部１０６は、スイッチ１０５をＯＦＦ状態からＯＮ状態に変更する。
【００２８】
例えば、許容電圧Ｖｍａｘ（例えば、７Ｖ〜１０Ｖ程度）を超える電圧をＶＢＵＳ端子１０１Ａに印加することを電力供給装置１２０に要求する場合、通信制御部１０４は、スイッチ１０５をＯＦＦ状態にすることを充電制御部１０６に指示する。この指示を受けた充電制御部１０６は、スイッチ１０５をＯＮ状態からＯＦＦ状態に変更する。
【００２９】
例えば、電子機器１００の電源スイッチがＯＦＦ状態にされた場合、充電制御部１０６は、スイッチ１０５をＯＮ状態からＯＦＦ状態に変更する。例えば、電力供給装置１２０が電力の供給を停止した場合、充電制御部１０６は、スイッチ１０５をＯＮ状態からＯＦＦ状態に変更する。例えば、電力供給装置１２０がコネクタ１０１から切り離された場合、充電制御部１０６は、スイッチ１０５をＯＮ状態からＯＦＦ状態に変更する。
【００３０】
電圧検出部１０３は、スイッチ１０５及びコンデンサ１０７を介してＣＣ端子１０１Ｂと接続されている。電圧検出部１０３は、電力供給装置１２０がＵＳＢ  ＰＤ規格に準拠した外部機器ではなく、スイッチ１０５がＯＮ状態である場合に、電力供給装置１２０がＣＣ端子１０１Ｂに印加している電圧（直流電圧）を検出する。電圧検出部１０３で検出された電圧を示す値は、通信制御部１０４に通知される。電力供給装置１２０がＵＳＢ  ＰＤ規格に準拠した外部機器でない場合、電力供給装置１２０はＵＳＢ  Ｔｙｐｅ−Ｃ規格に準拠した外部機器である。ＵＳＢ  Ｔｙｐｅ−Ｃ規格では、電力供給装置１２０の電力供給能力は、電力供給装置１２０がＣＣ端子１０１Ｂに印加している電圧（直流電圧）によって判定することができる。したがって、ＵＳＢ  Ｔｙｐｅ−Ｃ規格において、ＣＣ端子１０１Ｂに印加されている電圧を検出することは重要である。
【００３１】
通信制御部１０４も、電圧検出部１０３と同様に、スイッチ１０５及びコンデンサ１０７を介してＣＣ端子１０１Ｂと接続されている。通信制御部１０４は、ＵＳＢ  ＰＤ規格に準拠した通信を行う通信制御部として動作することができる。通信制御部１０４は、ＵＳＢ  ＰＤ規格に準拠した通信により、電力供給装置１２０がＵＳＢ  ＰＤ規格に準拠した外部機器であるか否かを判定することができる。電力供給装置１２０がＵＳＢ  ＰＤ規格に準拠した外部機器である場合、通信制御部１０４は、ＵＳＢ  ＰＤ規格に準拠した通信により、電力供給装置１２０の電力供給能力を判定することができる。電力供給装置１２０がＵＳＢ  ＰＤ規格に準拠した外部機器でない場合、通信制御部１０４は、電圧検出部１０３で検出された電圧により、電力供給装置１２０の電力供給能力を判定することができる。
【００３２】
充電制御部１０６はさらに、電力供給装置１２０から充電制御部１０６にＶＢＵＳ端子１０１Ａを介して供給される電力でバッテリ１１０を充電することもできる。そのため、充電制御部１０６は、２０Ｖを超える印加電圧を許容することができる。バッテリ１１０の充電は、通信制御部１０４が電力供給装置１２０の電力供給能力を判定した後に、許容電圧Ｖｍａｘ以下の電圧又は許容電圧Ｖｍａｘを超える電圧で行われる。
【００３３】
制限抵抗１０８は、スイッチ１０５がＯＮ状態である期間に、ＣＣ端子１０１Ｂ及びバイパス経路ＢＰを介して通信制御部１０４に流れる突入電流を抑制するための抵抗である。スイッチ１０５がＯＮ状態である期間（ＣＣ端子１０１Ｂと内部回路１０９との間に直流結合が形成されている期間）は、制限抵抗１０８により通信制御部１０４を保護することができる。
【００３４】
なお、電子機器１００の内部回路１０９を保護するために追加された構成は、スイッチ１０５、充電制御部１０６、コンデンサ１０７及び制限抵抗１０８である。
【００３５】
次に、図２のフローチャートを参照して、実施形態１における電子機器１００の動作の一例を説明する。図２のフローチャートは、電子機器１００の電源スイッチがＯＮ状態にされ、バッテリ１１０から供給された電力が電圧検出部１０３、通信制御部１０４、充電制御部１０６及びその他の構成要素に供給された場合に開始される。
【００３６】
ステップＳ２０１において、充電制御部１０６は、スイッチ１０５をＯＦＦ状態からＯＮ状態に変更する。スイッチ１０５がＯＮ状態になることにより、ＣＣ端子１０１Ｂと内部回路１０９との間のバイパス経路ＢＰが導通状態となり、ＣＣ端子１０１Ｂと電圧検出部１０３との間に直流結合が形成され、ＣＣ端子１０１Ｂと通信制御部１０４との間に直流結合が形成される。これにより、コンデンサ１０７がバイパス経路ＢＰによってバイパスされる状態となるので、電圧検出部１０３は、電力供給装置１２０がＣＣ端子１０１Ｂに印加している電圧（直流電圧）を検出できる状態になる。一方、通信制御部１０４は、制限抵抗１０８によって突入電流から保護される状態になる。
【００３７】
ステップＳ２０２において、通信制御部１０４は、コネクタ１０１に接続された電力供給装置１２０がＵＳＢ  ＰＤ規格に準拠した外部機器であるか否かを、ＵＳＢ  ＰＤ規格に準拠した通信によって判定する。電力供給装置１２０がＵＳＢ  ＰＤ規格に準拠した外部機器であるか否かは、通信制御部１０４が、ＵＳＢ  ＰＤ規格における所定の通信プロトコルに従って判定する。コネクタ１０１に接続された電力供給装置１２０がＵＳＢ  ＰＤ規格に準拠した外部機器であるか否かは、通信制御部１０４から充電制御部１０６に通知される。
【００３８】
電力供給装置１２０がＵＳＢ  ＰＤ規格に準拠した外部機器でないと判定された場合（Ｓ２０２でＮＯ）、充電制御部１０６は、スイッチ１０５のＯＮ状態を維持する（ステップＳ２０３）。なお、電力供給装置１２０がＵＳＢ  ＰＤ規格に準拠した外部機器でない場合、電力供給装置１２０はＵＳＢ  Ｔｙｐｅ−Ｃ規格に準拠した外部機器であるので、電力供給装置１２０がＶＢＵＳ端子１０１Ａに印加する電圧は５Ｖ以下に制限される。そのため、ＶＢＵＳ端子１０１ＡとＣＣ端子１０１Ｂとの間で異常短絡が生じたとしても、ＣＣ端子１０１及びバイパス経路ＢＰを介して内部回路１０９に印加される電圧が許容電圧Ｖｍａｘ（例：７Ｖ〜１０Ｖ程度）を超えることはないので、電圧検出部１０３及び通信制御部１０４は安全である。
【００３９】
電力供給装置１２０がＵＳＢ  ＰＤ規格に準拠した外部機器でない場合、電力供給装置１２０はＵＳＢ  Ｔｙｐｅ−Ｃ規格に準拠した外部機器である。ＵＳＢ  Ｔｙｐｅ−Ｃ規格では、電力供給装置１２０の電力供給能力は、電力供給装置１２０がＣＣ端子１０１Ｂに印加している電圧（直流電圧）によって判定することができる。ここで、ＣＣ端子１０１Ｂと内部回路１０９との間の交流結合が有効であると、電圧検出部１０３は、正しい直流電圧を検出することができない。そこで、電力供給装置１２０がＵＳＢ  ＰＤ規格に準拠した外部機器でないと判定された場合（Ｓ２０２でＮＯ）、充電制御部１０６は、スイッチ１０５のＯＮ状態を維持する（ステップＳ２０３）。これにより、コンデンサ１０７がバイパス経路ＢＰによってバイパスされるので、電圧検出部１０３は、電力供給装置１２０がＣＣ端子１０１Ｂに印加している電圧（直流電圧）を正しく検出することができる。
【００４０】
ステップＳ２０３において、電圧検出部１０３は、電力供給装置１２０がＣＣ端子１０１Ｂに印加している電圧（直流電圧）を検出する。電圧検出部１０３で検出された電圧を示す値は、通信制御部１０４に通知される。電力供給装置１２０がＵＳＢ  ＰＤ規格に準拠した外部機器でない場合、通信制御部１０４は、電圧検出部１０３で検出された電圧により、電力供給装置１２０の電力供給能力を判定することができる。
【００４１】
ステップＳ２０４において、充電制御部１０６は、バッテリ１１０が満充電状態になるまで、何らかの異常が検出されるまでの間、許容電圧Ｖｍａｘ以下の電圧でバッテリ１１０を充電する。ステップＳ２０４での充電中に、電力供給装置１２０がＶＢＵＳ端子１０１Ａに印加する電圧が許容電圧Ｖｍａｘを超えることはない。そのため、ＶＢＵＳ端子１０１ＡとＣＣ端子１０１Ｂとの間で異常短絡が生じたとしても、ＣＣ端子１０１及びバイパス経路ＢＰを介して内部回路１０９に印加される電圧が許容電圧Ｖｍａｘを超えることはないので、電圧検出部１０３及び通信制御部１０４は安全である。
【００４２】
ステップＳ２０５において、充電制御部１０６は、ＶＢＵＳ端子１０１Ａの電圧が所定の電圧未満になったか否かを判定する。ＶＢＵＳ端子１０１Ａの電圧が所定の電圧未満になっていないと判定された場合（Ｓ２０５でＮＯ）、充電制御部１０６は、電力供給装置１２０が電力の供給を維持していると判定し、所定時間が経過した後にステップＳ２０５に戻る。ＶＢＵＳ端子１０１Ａの電圧が所定の電圧未満になったと判定された場合（Ｓ２０５でＹＥＳ）、充電制御部１０６は、電力供給装置１２０がコネクタ１０１から切り離されたと判定した後、ステップＳ２０２に進む。電力供給装置１２０がコネクタ１０１から切り離されたことは、充電制御部１０６から通信制御部１０４に通知される。
【００４３】
電力供給装置１２０がＵＳＢ  ＰＤ規格に準拠した外部機器であると判定された場合（Ｓ２０２でＹＥＳ）、通信制御部１０４は、ＵＳＢ  ＰＤ規格に準拠した通信により、電力供給装置１２０がＶＢＵＳ端子１０１Ａに印加すべき電圧を決定する（ステップＳ２０６）。ステップＳ２０６で決定された電圧は、通信制御部１０４から充電制御部１０６に通知される。電力供給装置１２０がＵＳＢ  ＰＤ規格に準拠した外部機器である場合、電力供給装置１２０がＶＢＵＳ端子１０１Ａに印加できる電圧は最大で２０Ｖになる。そのため、電力供給装置１２０の電力供給能力及び動作状態によっては、電力供給装置１２０がＶＢＵＳ端子１０１Ａに印加すべき電圧が許容電圧Ｖｍａｘを超える場合がある。
【００４４】
ステップＳ２０６で決定された電圧が許容電圧Ｖｍａｘを超えない場合（Ｓ２０６でＮＯ）、充電制御部１０６は、スイッチ１０５のＯＮ状態を維持する（ステップＳ２０３）。ステップＳ２０６で決定された電圧が許容電圧Ｖｍａｘを超えない場合、電力供給装置１２０がＶＢＵＳ端子１０１Ａに印加する電圧は許容電圧Ｖｍａｘを超えない電圧に制限される。そのため、ＶＢＵＳ端子１０１ＡとＣＣ端子１０１Ｂとの間で異常短絡が生じたとしても、バイパス経路ＢＰ及びＣＣ端子１０１を介して内部回路１０９に印加される電圧が許容電圧Ｖｍａｘを超えることはないので、電圧検出部１０３及び通信制御部１０４は安全である。
【００４５】
ステップＳ２０６で決定された電圧が許容電圧Ｖｍａｘを超える場合（Ｓ２０６でＹＥＳ）、充電制御部１０６は、スイッチ１０５をＯＮ状態からＯＦＦ状態に変更する（ステップＳ２０７）。これにより、電力供給装置１２０が許容電圧Ｖｍａｘを超える電圧をＶＢＵＳ端子１０１Ａに印加する前に、ＣＣ端子１０１Ｂと内部回路１０９との間のバイパス経路ＢＰを非導通状態にすることができる。その結果、ＣＣ端子１０１Ｂと内部回路１０９との間の直流結合が切断され、ＣＣ端子１０１Ｂと内部回路１０９との間の交流結合が有効となる。スイッチ１０５がＯＮ状態からＯＦＦ状態に変更された後、通信制御部１０４は、この交流結合とＣＣ端子１０１Ｂとを介して電力供給装置１２０と通信することになる。
【００４６】
ステップＳ２０８において、通信制御部１０４は、ステップＳ２０６で決定された電圧をＶＢＵＳ端子１０１Ａに印加することを、コンデンサ１０７及びＣＣ端子１０１Ｂを介して電力供給装置１２０に要求する。これにより、許容電圧Ｖｍａｘを超える電圧が電力供給装置１２０によってＶＢＵＳ端子１０１Ａに印加されることになる。しかしながら、スイッチ１０５がＯＦＦ状態である期間は、ＣＣ端子１０１Ｂと内部回路１０９との間の直流結合は切断されている状態であり、ＣＣ端子１０１Ｂと内部回路１０９との間の交流結合は有効である。この交流結合によって内部回路１０９は過電圧から保護されるため、ＶＢＵＳ端子１０１ＡとＣＣ端子１０１Ｂとの間で異常短絡が生じたとしても、電圧検出部１０３及び通信制御部１０４は安全である。
【００４７】
ステップＳ２０９において、充電制御部１０６は、バッテリ１１０が満充電状態になるまで、何らかの異常が検出されるまでの間、許容電圧Ｖｍａｘを超える電圧でバッテリ１１０を充電する。これにより、ステップＳ２０９での充電は、ステップＳ２０４での充電に比べてバッテリ１１０の充電時間を短くすることができる。上述のように、交流結合によって内部回路１０９は過電圧から保護されるため、ステップＳ２０９での充電中にＶＢＵＳ端子１０１ＡとＣＣ端子１０１Ｂとの間で異常短絡が生じたとしても、電圧検出部１０３及び通信制御部１０４は安全である。
【００４８】
ステップＳ２１０において、充電制御部１０６は、ＶＢＵＳ端子１０１Ａの電圧が所定の電圧未満になったか否かを判定する。ＶＢＵＳ端子１０１Ａの電圧が所定の電圧未満になっていないと判定された場合（Ｓ２１０でＮＯ）、充電制御部１０６は、電力供給装置１２０が電力の供給を維持していると判定し、所定時間が経過した後にステップＳ２１０に戻る。
【００４９】
ＶＢＵＳ端子１０１Ａの電圧が所定の電圧未満になったと判定された場合（Ｓ２１０でＹＥＳ）、充電制御部１０６は、電力供給装置１２０がコネクタ１０１から切り離されたと判定した後、ステップＳ２０１に進む。電力供給装置１２０がコネクタ１０１から切り離されたことは、充電制御部１０６から通信制御部１０４に通知される。その後、ステップＳ２０１において、スイッチ１０５がＯＦＦ状態からＯＮ状態に変更されると、コンデンサ１０７にチャージされた電荷が突入電流として通信制御部１０４に流れる可能性がある。しかしながら、通信制御部１０４は、コンデンサ１０７と通信制御部１０４との間に接続された制限抵抗１０８により、コンデンサ１０７からの突入電流からも保護される。
【００５０】
次に、図３Ａ、図３Ｂ及び図３Ｃのタイミングチャートを参照して、実施形態１における電子機器１００の動作の一例を説明する。
【００５１】
ＶＢＵＳ端子１０１ＡとＣＣ端子１０１Ｂとの間で異常短絡が生じる可能性がある期間としては、以下の期間Ｔ１〜Ｔ３が想定される。
（１）期間Ｔ１：ＵＳＢ  Ｔｙｐｅ−Ｃケーブルのプラグがコネクタ１０１に挿入された時点から、ＵＳＢ  ＰＤ規格に準拠した通信が開始されるまでの期間。
（２）期間Ｔ２：ＵＳＢ  ＰＤ規格に準拠した通信が開始された時点から、許容電圧Ｖｍａｘを超える電圧をＶＢＵＳ端子１０１Ａに印加することを電力供給装置１２０に要求する前までの期間。
（３）期間Ｔ３：許容電圧Ｖｍａｘを超える電圧をＶＢＵＳ端子１０１Ａに印加することを電力供給装置１２０に要求した後の期間。
【００５２】
図３Ａのタイミングチャートを参照して、期間Ｔ１で異常短絡が生じた場合における電子機器１００の動作の一例を説明する。
【００５３】
期間Ｔ１においては、ＶＢＵＳ端子１０１Ａに印加される電圧は最大で５Ｖである。そのため、期間Ｔ１においてＶＢＵＳ端子１０１ＡとＣＣ端子１０１Ｂとの間で異常短絡が生じたとしても、ＣＣ端子１０１を介して内部回路１０９に印加される電圧が許容電圧Ｖｍａｘを超えることはない。したがって、期間Ｔ１においては、電圧検出部１０３及び通信制御部１０４は安全である。なお、ＶＢＵＳ端子１０１ＡとＣＣ端子１０１Ｂとの間での異常短絡が期間Ｔ１で生じた場合、ＣＣ端子１０１Ｂの電圧が異常な値となるので、通信制御部１０４はＵＳＢ  ＰＤ規格に準拠した通信に失敗する（ステップＳ２０２）。この場合、通信制御部１０４は、電力供給装置１２０がＵＳＢ  ＰＤ規格に準拠した外部機器でないと判定する（Ｓ２０２でＮＯ）。電力供給装置１２０がＵＳＢ  ＰＤ規格に準拠した外部機器でない場合、電力供給装置１２０はＵＳＢ  Ｔｙｐｅ−Ｃ規格に準拠した外部機器であるので、電力供給装置１２０がＶＢＵＳ端子１０１Ａに印加する電圧は５Ｖ以下に制限される。そのため、ＵＳＢ  ＰＤ規格に準拠した通信がＮＧになった後の期間も、ＶＢＵＳ端子１０１Ａに印加される電圧は５Ｖ以下に制限される。ステップＳ２０３〜Ｓ２０５の期間にＶＢＵＳ端子１０１ＡとＣＣ端子１０１Ｂとの間で異常短絡が生じたとしても、ＣＣ端子１０１及びバイパス経路ＢＰを介して内部回路１０９に印加される電圧が許容電圧Ｖｍａｘを超えることはない。そのため、電圧検出部１０３及び通信制御部１０４は安全である。
【００５４】
図３Ｂのタイミングチャートを参照して、期間Ｔ２で異常短絡が生じた場合における電子機器１００の動作の一例を説明する。
【００５５】
期間Ｔ２においても、ＶＢＵＳ端子１０１Ａに印加される電圧は最大で５Ｖである。そのため、期間Ｔ２においてＶＢＵＳ端子１０１ＡとＣＣ端子１０１Ｂとの間で異常短絡が生じたとしても、ＣＣ端子１０１を介して内部回路１０９に印加される電圧が許容電圧Ｖｍａｘを超えることはない。したがって、期間Ｔ２においても、電圧検出部１０３及び通信制御部１０４は安全である。なお、ＶＢＵＳ端子１０１ＡとＣＣ端子１０１Ｂとの間での異常短絡が期間Ｔ２で生じた場合、ＣＣ端子１０１Ｂの電圧が異常な値となる。この場合、通信制御部１０４は、電力供給装置１２０がＶＢＵＳ端子１０１Ａに印加すべき電圧を許容電圧Ｖｍａｘを超えない電圧（例：５Ｖ）に決定する（Ｓ２０６でＮＯ）。その後、電力供給装置１２０がＶＢＵＳ端子１０１Ａに印加する電圧は許容電圧Ｖｍａｘを超えない電圧に制限される。ステップＳ２０３〜Ｓ２０５の期間にＶＢＵＳ端子１０１ＡとＣＣ端子１０１Ｂとの間で異常短絡が生じたとしても、ＣＣ端子１０１及びバイパス経路ＢＰを介して内部回路１０９に印加される電圧が許容電圧Ｖｍａｘを超えることはない。そのため、電圧検出部１０３及び通信制御部１０４は安全である。
【００５６】
図３Ｃのタイミングチャートを参照して、期間Ｔ３で異常短絡が生じた場合における電子機器１００の動作の一例を説明する。
【００５７】
期間Ｔ３においては、許容電圧Ｖｍａｘを超える電圧がＶＢＵＳ端子１０１Ａに印加される。しかしながら、充電制御部１０６は、電力供給装置１２０が許容電圧Ｖｍａｘを超える電圧をＶＢＵＳ端子１０１Ａに印加する前に、スイッチ１０５をＯＮ状態からＯＦＦ状態に変更する（ステップＳ２０７）。スイッチ１０５がＯＦＦ状態である期間は、ＣＣ端子１０１Ｂと内部回路１０９との間の直流結合は切断されている状態であり、ＣＣ端子１０１Ｂと内部回路１０９との間の交流結合は有効である。この交流結合によって内部回路１０９は過電圧から保護されるため、ＶＢＵＳ端子１０１ＡとＣＣ端子１０１Ｂとの間での異常短絡が期間Ｔ３で生じた場合であっても、電圧検出部１０３及び通信制御部１０４は安全である。
【００５８】
以上のように、実施形態１によれば、電力供給装置１２０がＵＳＢ  ＰＤ規格に準拠した外部機器である場合は、電力供給装置１２０が許容電圧Ｖｍａｘを超える電圧をＶＢＵＳ端子１０１Ａに印加する前に、スイッチ１０５をＯＦＦ状態に変更することができる。その結果、電力供給装置１２０が許容電圧Ｖｍａｘを超える電圧をＶＢＵＳ端子１０１Ａに印加する前に、ＣＣ端子１０１Ｂと内部回路１０９との間の直流結合が切断され、ＣＣ端子１０１Ｂと内部回路１０９との間の交流結合が有効となる。この交流結合によって内部回路１０９は過電圧から保護されるため、ＣＣ端子１０１Ｂと他の端子（例：ＶＢＵＳ端子１０１Ａ）とが異常短絡することにより生ずる過電圧から、ＣＣ端子１０１Ｂに接続されている内部回路１０９を保護することができる。さらに、実施形態１によれば、許容電圧Ｖｍａｘを２０Ｖ超に上げなくてもよいため、内部回路の低コスト化を実現することもできる。
【００５９】
なお、スイッチ１０５をＯＦＦ状態に変更するタイミングは、許容電圧Ｖｍａｘを超える電圧をＶＢＵＳ端子１０１Ａに印加することを電力供給装置１２０に要求する前に限るものではない。スイッチ１０５をＯＦＦ状態に変更するタイミングは、電力供給装置１２０がＵＳＢ  ＰＤ規格に準拠した通信が可能な外部機器であると判定した時点から、許容電圧Ｖｍａｘを超える電圧がＶＢＵＳ端子１０１Ａに印加される前までの期間であればいつでもよい。例えば、許容電圧Ｖｍａｘを超える電圧をＶＢＵＳ端子１０１Ａに印加することを電力供給装置１２０に要求した直後にスイッチ１０５をＯＦＦ状態に変更するようにしてもよい。但し、スイッチ１０５をＯＦＦ状態に変更する時点と、許容電圧Ｖｍａｘを超える電圧がＶＢＵＳ端子１０１Ａに印加される時点とは、できるだけ時間差があることが望ましい。
【００６０】
＜実施形態２＞
次に、図３Ａ、図３Ｂ、図３Ｃ、図４、図５、図６Ａ及び図６Ｂを参照して、実施形態２を説明する。
【００６１】
実施形態１では、スイッチ１０５がＯＦＦ状態となる場合に、ＣＣ端子１０１Ｂからコンデンサ１０７を介して得られる交流信号にバイアス電圧を与えることまでは説明していなかった。実施形態２では、スイッチ１０５がＯＦＦ状態となる場合に、ＣＣ端子１０１Ｂからコンデンサ１０７を介して得られる交流信号に適切なバイアス電圧を与える例を説明する。このような構成にすれば、内部回路１０９に入力される信号の電圧レベルが、スイッチ１０５がＯＦＦ状態となる前と後とで変化してしまうという状況を緩和することができる。
【００６２】
図４は、実施形態２における電子機器１００の構成の一例を説明するためのブロック図である。図５は、実施形態２における電子機器１００の動作の一例を説明するためのフローチャートである。図４において、実施形態１で説明した構成要素と同様の構成要素については、図１と同じ符号を付与し、それらの説明を省略する。図５において、実施形態１で説明した処理と同様の処理については、図２と同じステップ番号を付与し、それらの説明を省略する。
【００６３】
実施形態２の電子機器１００は、実施形態１の電子機器１００と異なり、スイッチ４０１とバイアス電圧制御部４０２とをさらに有する。スイッチ４０１及びバイアス電圧制御部４０２はいずれもハードウェア構成を有する。
【００６４】
スイッチ４０１は、コンデンサ１０７とバイアス電圧制御部４０２との間に接続されたスイッチである。スイッチ４０１がＯＮ状態である場合、コンデンサ１０７とバイアス電圧制御部４０２との間は導通状態であり、スイッチ４０１がＯＦＦ状態である場合、コンデンサ１０７とバイアス電圧制御部４０２との間は非導通状態である。スイッチ１０５及びスイッチ４０１の状態は、充電制御部１０６によって制御される。充電制御部１０６は、スイッチ１０５がＯＮ状態である間はスイッチ４０１がＯＦＦ状態になるように制御し、スイッチ１０５がＯＦＦ状態である間はスイッチ４０１がＯＮ状態になるように制御する。
【００６５】
電圧検出部１０３は、電力供給装置１２０がＵＳＢ  ＰＤ規格に準拠した外部機器ではなく、スイッチ１０５がＯＮ状態であり、スイッチ４０１がＯＦＦ状態である場合に、電力供給装置１２０がＣＣ端子１０１Ｂに印加している電圧（直流電圧）を検出する。電圧検出部１０３で検出された電圧を示す値は、通信制御部１０４及びバイアス電圧制御部４０２に通知される。
【００６６】
バイアス電圧制御部４０２は、スイッチ１０５がＯＮ状態からＯＦＦ状態に変更される前に電圧検出部１０３で検出された電圧に相当するバイアス電圧を生成する。バイアス電圧制御部４０２で生成されたバイアス電圧は、ＣＣ端子１０１Ｂからコンデンサ１０７を介して得られる交流信号に与えられる。これにより、内部回路１０９に入力される信号の電圧レベルが、スイッチ１０５がＯＦＦ状態となる前と後とで変化してしまうという状況を緩和することができる。
【００６７】
次に、図６Ａ及び図６Ｂを参照して、バイアス電圧制御部４０２が有する構成要素の一例を説明する。
【００６８】
図６Ａを参照して、バイアス電圧制御部４０２が可変抵抗６０１と抵抗６０２とを有する例を説明する。この例では、バイアス電圧制御部４０２は、可変抵抗６０１の抵抗値を調整することにより、バイアス電圧制御部４０２で生成されるバイアス電圧を調整することができる。バイアス電圧制御部４０２は、可変抵抗６０１の抵抗値を、スイッチ１０５がＯＮ状態からＯＦＦ状態に変更される前に電圧検出部１０３で検出された電圧によって調整する。これにより、バイアス電圧制御部４０２は、電圧検出部１０３で検出された電圧に相当するバイアス電圧を生成することができる。
【００６９】
図６Ｂを参照して、バイアス電圧制御部４０２が定電流源６１１と抵抗６１２とを有する例を説明する。この例では、バイアス電圧制御部４０２は、定電流源６１１の出力電流を調整することにより、バイアス電圧制御部４０２で生成されるバイアス電圧を調整することができる。バイアス電圧制御部４０２は、定電流源６１１の出力電流を、スイッチ１０５がＯＮ状態からＯＦＦ状態に変更される前に電圧検出部１０３で検出された電圧によって調整する。これにより、バイアス電圧制御部４０２は、電圧検出部１０３で検出された電圧に相当するバイアス電圧を生成することができる。
【００７０】
次に、図５のフローチャートを参照して、実施形態２における電子機器１００の動作の一例を説明する。図５のフローチャートは、図２のフローチャートと同様に、電子機器１００の電源スイッチがＯＮ状態にされ、バッテリ１１０から供給された電力が電圧検出部１０３、通信制御部１０４、充電制御部１０６及びその他の構成要素に供給された場合に開始される。
【００７１】
ステップＳ２０１〜Ｓ２０６及びＳ２０８〜Ｓ２１０で行われる処理は、実施形態１で説明したステップＳ２０１〜Ｓ２０６及びＳ２０８〜Ｓ２１０で行われる処理と同様である。但し、ステップＳ２０１において、充電制御部１０６は、スイッチ１０５をＯＦＦ状態からＯＮ状態に変更する際に、スイッチ４０１をＯＮ状態からＯＦＦ状態に変更する。電力供給装置１２０がＵＳＢ  ＰＤ規格に準拠した外部機器でないと判定された場合（Ｓ２０２でＮＯ）、充電制御部１０６は、スイッチ１０５のＯＮ状態を維持すると共にスイッチ４０１のＯＦＦ状態を維持する（ステップＳ２０３）。ステップＳ２０６で決定された電圧が許容電圧Ｖｍａｘを超えない場合（Ｓ２０６でＮＯ）、充電制御部１０６は、スイッチ１０５のＯＮ状態を維持すると共にスイッチ４０１のＯＦＦ状態を維持する（ステップＳ２０３）。さらに、ステップＳ２０６で決定された電圧が許容電圧Ｖｍａｘを超える場合（Ｓ２０６でＹＥＳ）、充電制御部１０６は、ステップＳ２０７ではなくステップＳ５０１に進む。
【００７２】
ステップＳ５０１において、電圧検出部１０３は、電力供給装置１２０がＣＣ端子１０１Ｂに印加している電圧（直流電圧）を、スイッチ１０５がＯＮ状態からＯＦＦ状態に変更される前に検出する。電圧検出部１０３で検出された電圧を示す値は、バイアス電圧制御部４０２に通知される。なお、実施形態２では、ステップＳ５０１で行われる電圧の検出がステップＳ２０６の後に行われる例を説明したが、ＣＣ端子１０１Ｂに印加されている電圧の検出を行うタイミングはこれに限るものではない。例えば、電力供給装置１２０がＣＣ端子１０１Ｂに印加されている電圧の検出は、ステップＳ２０１の後であってステップＳ２０２又はステップＳ２０６の前に行うことも可能である。或いは、電力供給装置１２０がＣＣ端子１０１Ｂに印加されている電圧の検出は、ステップＳ２０２又はステップＳ２０６において行うことも可能である。
【００７３】
ステップＳ５０２において、充電制御部１０６は、スイッチ１０５をＯＮ状態からＯＦＦ状態に変更すると共にスイッチ４０１をＯＦＦ状態からＯＮ状態に変更する。これにより、電力供給装置１２０が許容電圧Ｖｍａｘを超える電圧をＶＢＵＳ端子１０１Ａに印加する前に、ＣＣ端子１０１Ｂと内部回路１０９との間のバイパス経路ＢＰを非導通状態にすることができる。その結果、ＣＣ端子１０１Ｂと内部回路１０９との間の直流結合が切断され、ＣＣ端子１０１Ｂと内部回路１０９との間の交流結合が有効となる。スイッチ１０５がＯＮ状態からＯＦＦ状態に変更された後、通信制御部１０４は、この交流結合とＣＣ端子１０１Ｂとを介して電力供給装置１２０と通信することになる。
【００７４】
ステップＳ５０３において、バイアス電圧制御部４０２は、ステップＳ５０１で検出された電圧に相当するバイアス電圧を生成する。そして、バイアス電圧制御部４０２は、生成したバイアス電圧を、ＣＣ端子１０１Ｂからコンデンサ１０７を介して得られる交流信号に与える。ステップＳ５０３で生成されたバイアス電圧が交流信号に与えられた後、通信制御部１０４は、ステップＳ２０６で決定された電圧をＶＢＵＳ端子１０１Ａに印加することを、コンデンサ１０７及びＣＣ端子１０１Ｂを介して電力供給装置１２０に要求する（ステップＳ２０８）。
【００７５】
次に、図３Ａ、図３Ｂ及び図３Ｃのタイミングチャートを参照して、実施形態２における電子機器１００の動作の一例を説明する。
【００７６】
ＶＢＵＳ端子１０１ＡとＣＣ端子１０１Ｂとが異常短絡するタイミングは、実施形態１で説明したように、３つの期間Ｔ１〜Ｔ３が想定される。期間Ｔ１及び期間Ｔ２で異常短絡が生じた場合における電子機器１００の動作の一例は、実施形態１で説明した通りであるので、その説明を省略する。
【００７７】
図３Ｃのタイミングチャートを参照して、期間Ｔ３で異常短絡が生じた場合における電子機器１００の動作の一例を説明する。
【００７８】
期間Ｔ３においては、許容電圧Ｖｍａｘを超える電圧がＶＢＵＳ端子１０１Ａに印加される。しかしながら、充電制御部１０６は、電力供給装置１２０が許容電圧Ｖｍａｘを超える電圧をＶＢＵＳ端子１０１Ａに印加する前に、スイッチ１０５をＯＮ状態からＯＦＦ状態に変更すると共にスイッチ４０１をＯＦＦ状態からＯＮ状態に変更する（ステップＳ５０２）。スイッチ１０５がＯＦＦ状態であってスイッチ４０１をＯＮ状態である期間は、ＣＣ端子１０１Ｂと内部回路１０９との間の直流結合は切断されている状態であり、ＣＣ端子１０１Ｂと内部回路１０９との間の交流結合は有効である。この交流結合によって内部回路１０９は過電圧から保護されるため、ＶＢＵＳ端子１０１ＡとＣＣ端子１０１Ｂとの間での異常短絡が期間Ｔ３で生じた場合であっても、電圧検出部１０３及び通信制御部１０４は安全である。
【００７９】
以上のように、実施形態２によれば、実施形態１と同様に、ＣＣ端子１０１Ｂと他の端子（例：ＶＢＵＳ端子１０１Ａ）とが異常短絡することにより生ずる過電圧から、ＣＣ端子１０１Ｂに接続されている内部回路１０９を保護することができる。実施形態２によれば、実施形態１と同様に、許容電圧Ｖｍａｘを２０Ｖ超に上げなくてもよいため、内部回路の低コスト化を実現することもできる。
【００８０】
さらに、実施形態２によれば、バイアス電圧制御部４０２は、スイッチ１０５がＯＮ状態からＯＦＦ状態に変更される前に電圧検出部１０３で検出された電圧に相当するバイアス電圧を生成することができる。そして、バイアス電圧制御部４０２は、スイッチ１０５がＯＦＦ状態となる場合に、バイアス電圧制御部４０２で生成された適切なバイアス電圧を、ＣＣ端子１０１Ｂからコンデンサ１０７を介して得られる交流信号に与えることができる。これにより、内部回路１０９に入力される信号の電圧レベルが、スイッチ１０５がＯＦＦ状態となる前と後とで変化してしまうという状況を緩和することができる。
【００８１】
なお、スイッチ１０５をＯＦＦ状態に変更すると共にスイッチ４０１をＯＮ状態に変更するタイミングは、許容電圧Ｖｍａｘを超える電圧をＶＢＵＳ端子１０１Ａに印加することを電力供給装置１２０に要求する前に限るものではない。スイッチ１０５をＯＦＦ状態に変更すると共にスイッチ４０１をＯＮ状態に変更するタイミングは、電力供給装置１２０がＵＳＢ  ＰＤ規格に準拠した通信が可能な外部機器であると判定した時点から、許容電圧Ｖｍａｘを超える電圧がＶＢＵＳ端子１０１Ａに印加される前までの期間であればいつでもよい。例えば、許容電圧Ｖｍａｘを超える電圧をＶＢＵＳ端子１０１Ａに印加することを電力供給装置１２０に要求した直後にスイッチ１０５をＯＦＦ状態に変更すると共にスイッチ４０１をＯＮ状態に変更するようにしてもよい。但し、スイッチ１０５をＯＦＦ状態に変更すると共にスイッチ４０１をＯＮ状態に変更する時点と、許容電圧Ｖｍａｘを超える電圧がＶＢＵＳ端子１０１Ａに印加される時点とは、できるだけ時間差があることが望ましい。
【符号の説明】
【００８２】
１０１：電子機器、１２０：電力供給装置、１０１：コネクタ、１０２：プルダウン抵抗、１０３：電圧検出部、１０４：通信制御部、１０５：スイッチ、１０６：充電制御部、１０７：コンデンサ、１０８：制限抵抗、１０９：内部回路、１１０：バッテリ
【図１】
2018110470.tif 000003
【図２】
2018110470.tif 000004
【図３Ａ】
2018110470.tif 000005
【図３Ｂ】
2018110470.tif 000006
【図３Ｃ】
2018110470.tif 000007
【図４】
2018110470.tif 000008
【図５】
2018110470.tif 000009
【図６Ａ】
2018110470.tif 000010
【図６Ｂ】
2018110470.tif 000011
【図７】
2018110470.tif 000012